(57)【要約】【課題】開発済みの高い抗酸性を有する飲用水に細胞レベルでの心身両面において寄与する電磁波水が出きないか研究模索した。【解決手段】我々の体にわナノレベルの微弱な直流電気が流れている。又６０兆個といわれる細胞活動にて生体活動が維持されている、その活動を支えているのが活性酸素を減じるミトコンドリアであり全ての細胞内に存在する、又このミトコンドリアが細胞内に取りこんだ酸素を活用し呼吸する事でエネルギーを作り出しＡＴＰとして合成されたくわえられる、各細胞はこのエネルキーを引き出す事で物質合成や発電、発光活動が行なわれ生命活動がなされミトコンドリアは微弱な電流にて電子伝達系を活性化しＡＴＰの合成を促進させる、必須である微弱な電気を日々愛飲する水に取り入れる為トルマリンを開発済み素材に追加し、又それらの素材の組合せ形状に工夫を持たせる事で電磁波水を作りだす事が出来た。【選択図】図１
2019146946.tif 000002
【特許請求の範囲】
【請求項１】
飲料用水質内に電磁波水を作り出す為の素材講成及び組合せ形状。
【発明の詳細な説明】
【技術分野】
【０００１】  本発明はすでに開発済みの活性酸素にも対応しうる高い抗酸化性を含有させた飲料水としての磁場水を生んだ素材構成に更に人体に不可決な微弱の静電気を水質内に含ませる事により細胞レベルでの心身の活性化をもたらす事になる電磁波水に関する。
【背景技術】
【０００２】  今日飲料水事情は山間を通って涌き出る市販のミネラル水が主流だ、より健康を意識した酸素や、ミネラルイオン水、又スーパー等にては中国の鉱石（麦飯石）を使用した飲料用水等を提供している、又我々の開発したミネラルエネルキー水材を用いた高い抗酸化性を有する水道水等を用いた飲料水は長寿の銘材の実践者を中心に口コミ等にて広がりを見せ地見ながらも愛飲者も増え続けている。
参考文献１    特開２０１２−１１０８７７
参考文献２    特開２０１５−１２８４０５
参考文献３    特開２０１６−１１２５５１
【発明が解決しようとする課題】
【０００３】  開発した磁場水は高い抗酸化性を有するため腸内の浄化を担い朝起きたら一杯を提案している為腸内環境も整い腸管マクロファージも活性化する事で腸の蠕動運動が推進され、したがって腸内にいるセロトニン等脳間、臓器間のメッセージ物質は腸内環境すこぶる良しとのメッセージを外気に触れる腸同様人体最大の臓器である樹状細胞と共生する肌皮のランゲルハンス細胞に伝える事で同細胞が肌皮の健全化、安定化に奇与するため肌トラブル、吹出物も少ない事が実感できるのでわないかと思われ愛飲者の方々からの謝意の言葉、書面等か届いている次第です、それでも今後増々進む高齢化社会に於いて我々の心を支配する脳内活動をも適正化、安定化をもたらす心身共に健全性、正常化をもたらす細胞レベルでの活性化をもたらす日々愛飲できる飲料水が出きないか研究模索した。
【課題を解決するための手段】
【０００４】  元々私達の体には微弱な直流電気が流れていている、心臓に電気が流れているのを発見したのは２０世紀初頭オランダの学者アイントーフェンが発見し電気信号を発する事で心臓の筋肉の収縮や弛緩運動を繰り返す事で血液の流れをもたらす事になり心電図という言葉は広く知られている、又その後の人体と電流の研究が進み近年の研究から細胞内小器官であるミトコンドリア、活性酸素を減らすといい６０兆個ともいわれる全ての細胞内に複数個存在し代謝の活発な細胞には多数存在するといわれ、又我々が吸気する事で血液に混入した酸素が細胞内に取り込まれるとミトコンドリヤは酸素を活用し呼吸する事でエネルギーを作り出し細胞内にＡＴＰとして合成されたくわえられ、各細胞は全て物質合成やイオン交換や発電や発光活動を行う時ＡＴＰにたくわえられたエネルギーを引き出す事で心身活動につながる、細菌性細胞にわ存在しないミトコンドリア恐るべし、
【０００５】  体内臓器もそうだが、幸、不幸の気持、感情を支配する脳内ホルモン、又大脳、小脳を主導する神経細胞ニューロンやドーパミンセロトニン等の神経伝達物質を結合し連結の役を担うシナプス、この脳内物質が電気信号等を発する事で適正な情報伝達活動が行われドーパミン等から外部情報（こまった、どうしょう等）の情報をニューロンの受信部が受け取ると適確な情報を発信し（こうしなさい、ああしなさい）を連係伝達物質にメッセージを送る事で心身の健全化をもたらす、又最新の研究によるとミトコンドリアは微弱の電流にて電子伝達係を活性化させＡＴＰの合成促進させるという。
【０００６】  微弱の電流を水質内に発生し続ける事は十分可能である、電気石を用いる事である、一番適しているのはトルマリンである、数あるケイ酸塩鉱物の一つでその色も用途も多岐に及ぶ、昔から水質の浄化材として用いられ今は主に宝石、パワーストーン、健康用具としてペンダントやシーツ等として普及している、ただこの石を机の上に置いただけでわ電気は電場は発しない、熱したり、圧したり摩擦する事で結晶の両側が帯電し静電気が発生するしたがって開発済みの素材構成にトルマリンを加え、又組合せ形状を工夫する事で四六時中静電気が発生するため水質内に微弱の電磁波を含有する事になり組み合せ的にもベストマッチである、又組合せ材のメンテナンスとして月１〜２度煮沸湯煎後日干しする事で長期間使用できるため費用も安上がりてすむ。
【発明の効果】
【０００７】  したがって当水の日々の愛飲は心身両面に於いて健全化、活性化につながるのだが、その効果がより高まるか減じられるかは日々の日常生活の取り組み方に左右される、体力に合った日々の散歩、ジョギング、伸筋運動等、バランスの取れた食生活、程良い睡眠、楽しみや趣味を持つ、健康志向の高まる今日、自然に行っていると思う、ただ意図して留意してもらいたい事は孤独な環境は避ける努力すべきだ、高齢世代、家族、友人、知人等別れが多くなる、減ったら増やせば良い我々は知恵も有り環境も整っている、積極的に自治会、町内会等の会合、イベント等参加ずべきだ、時折見かける広場でのゲートボールを見ると和気あいあい、古い友人同志の集いの感がある、家族、友人、知人等とは大いに語り合う事が大事である、逆に対語もなく楽しみも持たづ家に閉じこもってしまう生活は安らぎの脳内ホルモン“セロトニン”が減少し“うつ病”へと向かってしまう、又深呼吸等は細胞内の酸素が増える。
【０００８】  今の我国、冷静な三者の目にて考察すれば、個々に於いては言いたい事や不満も多々あろうが、銃規制も確立され民族間、宗教上の抗争や政治基盤も安定しており、内戦や内紛等の可能性は微少である、したがって医学の進歩、医療技術の進化、健康サプリ等の普及により平均寿命も確実に伸びる、当然ながら財政を圧追する医療費の肥大化に対し当水の日々の愛飲、日々の生活の取り組み方にて、その歯止を担う効果になると思う。
【発明を実施するための最良の形態】
【０００９】  使用素材は竹炭、火山岩石、トルマリン、１０ＭＭ径フェライト磁石、金粉、を使用、重量比はトルマリン１、火山岩石３、竹炭２が良い、又組合せ形状は二重ガーゼ地小袋に１０ＭＭ径フェライト１０００ガウスとトルマリンを入れとじて火山岩を入れた同地の中心に入れとじる、トルマリンは５ＭＭ球形にし火山岩石は大粒形状にて、又竹炭は長方辺を用い
2019146946.tif 000003
が適量である、又磁石は竹炭側綿地内側に同地を用いて上下に付ける、この形状結果にてトルマリンは絶えす水中内にて圧され摩擦が起き四六時中静電気が発生する為電場も含有する事になる、又磁石も上下三列となりくっつき合う事もなく、内面、外面健美効果をもたらし、又細胞レベルでの活性化をもたらす為強力な人体活生水となる、初期費用は少々かかるが、金は永久的な耐用性があり、磁石も１５年程度、トルマリン、火山岩石は効能面を鑑み７、８年位と思っていただきたい、ただ竹炭にては、塩素系残留物や放射性セシウムさえも強制吸着除去する“分子ふるい材”としても活用される素材の為、１年程度にての交換がよい、勿論ウィルスや花粉、ＰＭ２．５等も強力に強制除去する素晴しい自然素材である、もし家庭内にて金塊等所持しているなら当水とのコラボが望ましい、金庫に保存するよりはまちがいなく健康面での金メダルとなる、かように該当素材を用い、水道水等から作られる飲料水の日々の愛飲と、日常生活の簡単な取り組み方により細胞レベルでの心身の活性化をもたらし、又該当素材も月１〜２度のメンテナンス、木綿地（イント綿）袋ごとの煮沸湯煎後に日干１時間程にて新品同様の効果が持続する為、まさに費用のかからないエコな健康水、エコヘル水であり命の妙水を提供する。
【図面の簡単な説明】
【００１０】
【図１】  綿地外袋に各素材収納後の断面図
【図２】  日干し時の外面図
【符号の詳細な説明】
【００１１】１  トルマリン  ２  火山岩石  ３  フェライト磁石  ４  竹炭
５  金粉  ６  ガーセ地小袋  ７  ガーセ地中袋  ８  綿地外袋
９  外袋開閉口  １０  輸状結び紐
【図１】
2019146946.tif 000004
【図２】
2019146946.tif 000005